(57)【要約】【課題】簡易な操作で速やかに所望の情報を検索し、利用者に選択させることが可能な情報検索表示装置、情報検索表示方法及び情報検索表示プログラムを提供する。【解決手段】ユーザからの操作に応じて複数のデータの中から所望のデータを検索して表示させる情報検索表示装置であって、記憶部に記憶されている複数のデータのそれぞれに付されたデータ項目のリストを所定の縮尺で表示する表示部と、表示部に所定の縮尺で表示されたリストの拡大指示または縮小指示を受け付ける入力部と、入力部が縮小指示を受け付けると、縮小指示によって指定された縮尺への縮小度合いに応じてリストに含まれるデータ項目を間引いた縮小リストを表示部に表示させ、縮小リストが表示された状態で入力部が拡大指示を受け付けると、拡大指示によって指定された縮尺への拡大度合いに応じて縮小リストが表示された際に間引かれたデータ項目を復帰させた拡大リストを表示部に表示させる制御部と、を備える。【選択図】図５
2014056329.tif 000002
【特許請求の範囲】
【請求項１】
ユーザからの操作に応じて複数のデータの中から所望のデータを検索して表示させる情報検索表示装置であって、
記憶部に記憶されている前記複数のデータのそれぞれに付されたデータ項目のリストを所定の縮尺で表示する表示部と、
前記表示部に所定の縮尺で表示された前記リストの拡大指示または縮小指示を受け付ける入力部と、
前記入力部が前記縮小指示を受け付けると、前記縮小指示によって指定された縮尺への縮小度合いに応じて前記リストに含まれる前記データ項目を間引いた縮小リストを前記表示部に表示させ、前記縮小リストが表示された状態で前記入力部が前記拡大指示を受け付けると、前記拡大指示によって指定された縮尺への拡大度合いに応じて前記縮小リストが表示された際に間引かれたデータ項目を復帰させた拡大リストを前記表示部に表示させる制御部と、
を備えることを特徴とする情報検索表示装置。
【請求項２】
前記入力部は、前記拡大指示を前記ユーザが指を広げるように前記表示部をなぞるタッチ操作により受け付け、または前記縮小指示を前記ユーザが指をつまむように前記表示部をなぞるタッチ操作により受け付け、
前記制御部は、前記縮小指示時のタッチ操作におけるつまみ具合に応じて前記リストのデータ項目を間引き、または前記拡大指示時のタッチ操作における広がり具合に応じて前記リストのデータ項目を復帰させる、
ことを特徴とする請求項１に記載の情報検索表示装置。
【請求項３】
前記入力部は、前記拡大指示を受け付けるための拡大ボタンと、前記縮小指示を受け付けるための縮小ボタンとを有し、
前記制御部は、前記入力部が前記縮小ボタンの押下を受け付けた場合には前記リストのデータ項目を間引き、または前記入力部が前記拡大ボタンの押下を受け付けた場合には前記リストのデータ項目を復帰させる、
ことを特徴とする請求項１に記載の情報検索表示装置。
【請求項４】
前記入力部は、前記表示部に表示された前記リストを前の縮尺の状態に戻すための戻りボタンを有し、
前記制御部は、前記入力部が前記戻りボタンの押下を受け付けた場合には直前に表示されていたリストを前記表示部に表示させる、
ことを特徴とする請求項１〜３のいずれか１項に記載の情報検索表示装置。
【請求項５】
前記制御部は、前記リストに表示されている一のデータ項目に含まれる文字列と、次のデータ項目に含まれる文字列とを比較し、各データ項目の先頭から同じ文字が続いているか否かを判定し、両者の先頭から同じ文字が続いていると判定した場合に、その同じ文字を他の文字とは異なる色で表示させる、
ことを特徴とする請求項１〜４のいずれか１項に記載の情報検索表示装置。
【請求項６】
ユーザからの操作に応じて複数のデータの中から所望のデータを検索して表示させる情報検索表示装置で行われる情報検索表示方法であって、
記憶部に記憶されている前記複数のデータのそれぞれに付されたデータ項目のリストを所定の縮尺で表示する表示部に所定の縮尺で表示された前記リストの縮小指示を受け付ける縮小指示入力ステップと、
前記縮小指示入力ステップにおいて前記縮小指示を受け付けられた場合に、前記縮小指示によって指定された縮尺への縮小度合いに応じて前記リストに含まれる前記データ項目を間引いた縮小リストを前記表示部に表示させる縮小ステップと、
記憶部に記憶されている前記複数のデータのそれぞれに付されたデータ項目のリストを所定の縮尺で表示する表示部に所定の縮尺で表示された前記リストの拡大指示を受け付ける拡大指示入力ステップと、
前記縮小リストが表示された状態で前記拡大指示入力ステップにおいて前記拡大指示を受け付けると、前記拡大指示によって指定された縮尺への拡大度合いに応じて前記縮小リストが表示された際に間引かれたデータ項目を復帰させた拡大リストを前記表示部に表示させる拡大ステップと、
を含むことを特徴とする情報検索表示方法。
【請求項７】
コンピュータに、
記憶部に記憶されている複数のデータのそれぞれに付されたデータ項目のリストを所定の縮尺で表示する表示部に所定の縮尺で表示された前記リストの縮小指示を受け付ける縮小指示入力ステップと、
前記縮小指示入力ステップにおいて前記縮小指示を受け付けられた場合に、前記縮小指示によって指定された縮尺への縮小度合いに応じて前記リストに含まれる前記データ項目を間引いた縮小リストを前記表示部に表示させる縮小ステップと、
記憶部に記憶されている前記複数のデータのそれぞれに付されたデータ項目のリストを所定の縮尺で表示する表示部に所定の縮尺で表示された前記リストの拡大指示を受け付ける拡大指示入力ステップと、
前記縮小リストが表示された状態で前記拡大指示入力ステップにおいて前記拡大指示を受け付けると、前記拡大指示によって指定された縮尺への拡大度合いに応じて前記縮小リストが表示された際に間引かれたデータ項目を復帰させた拡大リストを前記表示部に表示させる拡大ステップと、
を実行させることを特徴とする情報検索表示プログラム。
【発明の詳細な説明】
【技術分野】
【０００１】
本発明は、情報機器に記録された情報を検索して表示する技術に関するものである。
【背景技術】
【０００２】
近年、ハードディスクや内蔵メモリ、メモリーカード等の記録装置に記録された音楽データを再生するカーオーディオ装置が普及している。これらの装置の中には、記録装置の大容量化に伴い、数千曲を超える音楽データを再生するものも現れている。
【０００３】
このようなカーオーディオ装置では、ホイール状のボタン、スライドバー状のボタン、十字キー、タッチパネル対応のディスプレイデバイスなどの入力装置を設け、ユーザが押下・長押下などの操作をすることで、リストを昇順あるいは降順でスクロール表示して所望の音楽データを検索する（特許文献１参照）。
【０００４】
また、所望の音楽データを素早く検索できるように、ユーザが入力装置をなぞるスピードや押下時間、圧力に応じてスクロールスピードをコントロールし、検索にかかる時間を短縮するための処理がなされているカーオーディオ装置もある。
【０００５】
検索対象の音楽データには、アーティスト名、アルバム名、曲名、およびジャンル等のデータが付加されており、ユーザはアーティスト名、アルバム名、曲名、ジャンル等で絞り込み、表示されたリストの音楽データから、リストをスクロールさせて所望の楽曲を検索することもできる。
【０００６】
さらに、リスト項目の付加情報やファイル名の先頭文字を、アルファベットなどで指定することで、先頭文字が一致するリストを作成し、スクロールさせて検索するカーオーディオ装置や、先頭文字より順番に文字を指定して、所望の音楽データを検索するオーディオ装置（特許文献２参照）もある。
【先行技術文献】
【特許文献】
【０００７】
【特許文献１】特開平８−９６２９５号公報
【特許文献２】特開２００７−２５００８３号公報
【発明の概要】
【発明が解決しようとする課題】
【０００８】
従来の、リストを昇順あるいは降順でスクロール表示して所望の音楽データを検索する検索方法では、所望の音楽データがリストの後方に配列されたときに、所望の音楽データまでスクロールするのに時間がかかり、検索時間を短縮させることは難しい。
【０００９】
入力装置をなぞるスピードや押下時間、圧力に応じてスクロールスピードをコントロールして所望の音楽データを検索する検索方法は、標準的なカーオーディオの表示部の大きさでは、リスト表示できる項目は数項目に制限されるため、スクロールスピードを高速にしても、所望の音楽データの場所でスクロールを止める事は困難であり、検索時間を短縮させることは難しい。
【００１０】
検索対象の音楽データの付加で絞り込んで所望の音楽データを検索する検索方法は、同じ付加情報の音楽データが多数存在する場合に、絞り込んだ後のスクロールに時間がかかり、検索時間を短縮させる事が難しい。
【００１１】
リスト項目の付加情報やファイル名の先頭文字を、アルファベットなどで指定することで所望の音楽データを検索する検索方法では、先頭文字が同じ音楽データが多数存在する場合に、先頭文字指定後のスクロールに時間がかかり、検索時間を短縮させる事が難しい。
【００１２】
先頭文字より順番に文字を指定して、所望の音楽データを検索する検索方法では、先頭より数文字が同じ文字の場合に文字の入力に時間がかかり、検索時間を短縮させる事が難しい。
【００１３】
カーオーディオや音楽データに限らず、例えば、ＰＣ（パーソナルコンピュータ）を操作して蔵書データの中から所望の書籍を検索する場合や、ナビゲーションシステムにおいて所望の目的地を検索する場合等、情報機器に記録されている様々な情報を検索して画面等に表示させる場合にも同様の操作を必要とする場合が多く、上述した問題はこれらの情報機器を操作する場合も生じ得る。
【００１４】
本発明は、上記に鑑みてなされたものであって、簡易な操作で速やかに所望の情報を検索し、利用者に選択させることが可能な情報検索表示装置、情報検索表示方法及び情報検索表示プログラムを提供することを目的とする。
【課題を解決するための手段】
【００１５】
上述した課題を解決し、目的を達成するために、本発明にかかる情報検索表示装置は、ユーザからの操作に応じて複数のデータの中から所望のデータを検索して表示させる情報検索表示装置であって、記憶部に記憶されている前記複数のデータのそれぞれに付されたデータ項目のリストを所定の縮尺で表示する表示部と、前記表示部に所定の縮尺で表示された前記リストの拡大指示または縮小指示を受け付ける入力部と、前記入力部が前記縮小指示を受け付けると、前記縮小指示によって指定された縮尺への縮小度合いに応じて前記リストに含まれる前記データ項目を間引いた縮小リストを前記表示部に表示させ、前記縮小リストが表示された状態で前記入力部が前記拡大指示を受け付けると、前記拡大指示によって指定された縮尺への拡大度合いに応じて前記縮小リストが表示された際に間引かれたデータ項目を復帰させた拡大リストを前記表示部に表示させる制御部と、を備えることを特徴とする。
【００１６】
また、本発明は、上記情報検索装置で行われる情報検索表示方法および情報検索表示プログラムである。
【発明の効果】
【００１７】
本発明によれば、簡易な操作で速やかに所望の情報を検索し、利用者に選択させることが可能な情報検索表示装置、情報検索表示方法及び情報検索表示プログラムを提供することができる。
【図面の簡単な説明】
【００１８】
【図１】本発明の実施の形態におけるリスト項目検索装置の構成を示すブロック図である。
【図２】本発明の実施の形態における制御部が保持する縮尺リストの一例を示す図である。
【図３】本発明の実施の形態における制御部が記録媒体から音楽データを読み込んだ際に作成するリストの一例を示す図である。
【図４】本発明の実施の形態における項目検索装置の表示装置と入力装置の外観を示す平面図である。
【図５】本発明の実施の形態におけるリスト項目検索方法のフローチャートである。
【図６】本発明の実施の形態におけるリスト項目検索結果の表示例を示す図である（縮小）。
【図７】本発明の実施の形態におけるリスト項目検索結果の表示例を示す図である（拡大）。
【発明を実施するための形態】
【００１９】
以下に添付図面を参照して、本発明にかかる情報検索表示装置、情報検索表示方法及び情報検索表示プログラムの実施の形態を詳細に説明する。なお、以下では、本発明にかかる情報検索表示装置、情報検索表示方法及び情報検索表示プログラムを、カーオーディオ装置に適用した場合について説明しているが、例えば、ＰＣ（パーソナルコンピュータ）を操作して蔵書データの中から所望の書籍を検索する場合や、ナビゲーションシステムにおいて所望の目的地を検索する場合等、情報機器に記録されている様々な情報を検索して画面等に表示させる場合にも広く適用することができる。
【００２０】
図１は、本発明の実施の形態におけるリスト項目検索装置の構成を示すブロック図である。以下の説明では、図１の制御部１０１、表示装置１０２および入力装置１０３をカーオーディオ装置に組み込み、記録媒体１０８に記録されている多数の音楽データを検索する場合を例として説明する。
【００２１】
図１に示すように、リスト項目検索装置は、制御部１０１、表示装置１０２、入力装置１０３、内部記憶部１０４１、外部記憶部１０４２を有して構成されている。記録媒体１０８には、多数の音楽データがファイル形式で記録されている。各音楽データのファイルには、曲名、アーティスト、アルバム、ジャンルのデータが付加情報として付加されている。記録媒体１０８は、外付けハードディスクやＵＳＢメモリなどのように着脱可能な構成の場合と、リスト項目検索装置に内蔵している構成の場合があるがそのいずれでもよい。リスト項目検索装置は、記録媒体１０８に記録された各音楽データを記憶する外部記憶部１０４２を有し、必要に応じて所望の音楽データを内部に取り込むことができるようになっている。また、内部記憶部１０４１には、以下に示す各処理を行うための各種のプログラムやリスト等が記憶される。実際のハードウェアとしてはＣＰＵが内部記憶部１０４１からプログラムを読み出して実行することにより主記憶装置上にロードされるようになっている。
【００２２】
制御部１０１は、リスト項目検索装置の各部の動作を制御するコントローラである。制御部１０１は、表示装置１０２に表示させるリスト項目を縮小、拡大表示するための縮尺リストを制御部１０１内部あるいは内部記憶部１０４１に保持している。図２に縮尺リストの一例を示す。図２に示すように、縮尺リスト１０５には、リスト項目を表示させる場合の倍率があらかじめ定められている。図２に示す例では、縮尺リスト１０５は、１／１の等倍率から１／５００の倍率までの縮尺をリスト形式で保持している。
【００２３】
制御部１０１は、記録媒体１０８から読み出した音楽データから、音楽データの付加情報、ファイル名を抽出し、所定の順序でソートしたリスト（ソートリスト）を作成する。図３に制御部１０１で作成したリストの一例を示す。図３のソートリストでは、曲名３０２がアルファベット順でソートされ、１つの音楽データを識別するための識別番号３０１と、その音楽データの曲名３０２と、その曲のアーティスト３０３と、その曲が入っているアルバム３０４と、その曲のジャンル３０５と、その曲が記録されているファイル名３０６とが対応付けられている。
【００２４】
図４に、本実施の形態のリスト項目検索装置における表示装置１０２と入力装置１０３の外観を示す。表示装置１０２は、例えば、リスト項目検索装置に取り付けられたタッチパネル対応のディスプレイデバイスで構成される。画面には音楽データに付されたリスト項目を予め定めた方式に従って表示するリスト表示画面部４０１、ページ数４０２、リストの縮尺４０３、表示されたリストの縮尺を縮小させる縮小指示ボタン４０４、表示されたリストの縮尺を拡大させる拡大指示ボタン４０５、リストを上下に移動させるスクロールバー４０６、一旦表示させたリストを前の縮尺の状態に戻す戻りボタン４０７を表示する。
【００２５】
図４のタッチパネル対応のディスプレイデバイスは、入力装置１０３としての役割も兼ねており、画面に表示しているリスト表示画面部４０１、表示されたリストの縮尺を制御する縮小指示ボタン４０４と拡大指示ボタン４０５、リストのスクロールバー４０６、戻りボタン４０７で構成されている。図４に示す例では、等倍の縮尺で先頭の曲からアルファベット順に画面に表示されている様子を示している。ユーザは、縮尺の選択を誤った場合や所望の検索結果が得られなかった場合等には、戻りボタン４０７をタッチすることにより、一旦表示させたリストを前の縮尺の状態に戻すことも可能である。この場合、前の縮尺の状態のリストは、制御部１０１のキャッシュ等に一時的に記憶され、そのリストがリスト表示画面部４０１に表示されることとなる。このような戻りボタン４０７をタッチすることにより、ユーザは容易に前の状態の画面に遷移することができる。
【００２６】
なお、制御部１０１は、リストの曲名に含まれる文字列と次の曲名に含まれる文字列とを比較し、それらの先頭から同じ文字が続いているか否かを判定し、両者の先頭から同じ文字が続いていると判定した場合には、その同じ文字を他の文字とは異なる色で表示させることとしてもよい。例えば、図４において、Ｎｏ１〜Ｎｏ５までの曲名は、いずれも「ａ」で始まっているため、この部分を他の文字列とは異なる色で表示させることも可能である。例えば、制御部１０１は、「ｂｃ」等の他の文字列を黒で表示する場合には、これらに共通の文字である「ａ」を赤で表示させることとしてもよい。この場合、利用者は容易に曲名を視認することができ、その結果、所望の楽曲をより容易に検索することが可能となる。
【００２７】
リスト表示画面部４０１の入力装置１０３としての役割として、操作者が、画面に表示されている項目にタッチし、入力装置１０３がそのタッチ操作を受け付けると、項目の選択信号を制御部１０１に送信する。また、操作者が、リスト表示画面部４０１を上方向に指でなぞり、入力装置１０３がその操作を受け付けると、リストを下方向にスクロールする信号を制御部１０１に送信する。また、操作者が、リスト表示画面部４０１を下方向に指でなぞり、入力装置１０３がその操作を受け付けると、リストを上方向にスクロールする信号を制御部１０１に送信する。
【００２８】
さらに、操作者が、リスト表示画面部４０１を二本の指でつまむようになぞり、入力装置１０３がその操作を受け付けると、リストの縮尺を縮小する信号を制御部１０１に送信する。また、操作者が、リスト表示画面部４０１を二本の指で広げるようになぞり、入力装置１０３がその操作を受け付けると、リストの縮尺を拡大する信号を制御部１０１に送信する。入力装置１０３がこのようなリスト表示画面部４０１をなぞる操作を受け付けることにより、ユーザは直感的にリストを縮小または拡大することができる。
【００２９】
さらに、リストの縮尺を制御する縮小指示ボタン４０４と拡大指示ボタン４０５の入力装置としての役割として、操作者が、縮小指示ボタン４０４を押下し、入力装置１０３がその操作を受け付けると、リストの縮尺を縮小するための縮小指示信号を制御部１０１に送信する。また、操作者が、拡大指示ボタン４０５を押下し、入力装置１０３がその操作を受け付けると、リストの縮尺を拡大するための拡大指示信号を制御部１０１に送信する。入力装置１０３がこのようなボタンの押下操作を受け付けることにより、ユーザが直感的にリストを縮小または拡大出来ない場合であっても、容易にリストを縮小または拡大することができる。
【００３０】
また、リストのスクロールバー４０６の入力装置としての役割として、操作者が、最上部の上ボタン（上向き矢印）を押下し、入力装置１０３がその操作を受け付けると、リストを１つ上にスクロールするためのスクロール信号を制御部１０１に送信する。さらに、操作者が、最下部の下ボタン（下向き矢印）を押下し、入力装置１０３がその操作を受け付けると、リストを１つ下にスクロールするためのスクロール信号を制御部１０１に送信する。また、操作者が、スクロールバー４０６にタッチした状態で上または下に指をなぞり、入力装置１０３がその操作を受け付けると、動作させた分だけリストをスクロールさせるためのスクロール信号を制御部１０１に送信する。
【００３１】
上記の説明は、入力装置１０３がタッチパネル対応のディスプレイデバイスの場合のものであるが、タッチパネル非対応のディスプレイデバイスの構成の場合は、入力装置１０３はリスト項目検索装置に取り付けられたボタンで構成される。
【００３２】
リスト項目検索装置に接続した、記録媒体１０８に格納されている音楽データから、所望の音楽データを検索するために、記録媒体１０８接続後に入力装置１０３が操作者から縮尺の指定を受け付けていない場合には、リストの縮尺は１／１となり、リストの縮尺４０３に表示され、図４に示したように、リスト表示画面部４０１には、記録媒体１０８から読み込まれた音楽データが、所定の順番で配列されて表示される。続いて、リスト項目検索装置で行われる処理について説明する。
【００３３】
図５は、制御部１０１がリストの縮尺を縮小、拡大する信号を受信した時に行われる、リスト項目表示処理の処理手順を示すフローチャートである。以下、図５のフローチャートに沿って、本実施の形態のリスト項目検索方法を説明する。
【００３４】
リスト表示画面部４０１に表示されている音楽データが図４のＮｏ１からＮｏ５であって、ユーザが検索したい所望の音楽データがＮｏ３０３の場合を例に説明する。ユーザは所望の音楽データの曲名のみ理解していることを前提とする。
【００３５】
ユーザは、リスト表示画面部４０１に所望の音楽データが表示されていないため、縮小指示ボタン４０４を押下するか、リスト表示画面部４０１を２本の指でつまむようになぞる。縮小指示ボタン４０４が押下されるか、リスト表示画面部４０１を２本の指でつまむようになぞられると、入力装置１０３がその操作を受け付け、制御部１０１に縮小指示信号が送信される。制御部１０１は、その信号を受信し（ステップ５０１）、受信した信号が縮小指示信号か、拡大指示信号かを判断する（ステップ５０２）。
【００３６】
制御部１０１が縮小指示信号を受信したと判断すると、制御部１０１は現在のリストの縮尺が縮尺リスト図２の最小値であるかどうかを判定し、その確認をする（ステップ５０３）。そして、制御部１０１は現在の縮尺が最小値、縮尺リスト図２の１／５００であると判定した場合（ステップ５０３；Ｙｅｓ）、これ以上縮小はできないため、ステップ５０９に進む。
【００３７】
一方、制御部１０１は、現在の縮尺が最小値、縮尺リスト図２の１／５００でないと判定した場合（ステップ５０３；Ｎｏ）、現在の縮尺を縮小指示信号によって指示された縮尺に変更する。（ステップ５０５）
制御部１０１は、現在の縮尺が変更された時に、音楽データのリスト図４から、リスト項目が選択されている場合は、選択されている項目を先頭に、変更後の縮尺に従って、任意の数のリスト項目を間引いて、所定の縮小リスト項目を取得し、リスト項目が選択されていない場合は、表示されているリスト項目の先頭項目を中心にして、変更後の縮尺に従って、任意のリスト項目間の間隔で、任意の数のリスト項目を間引いて、所定の縮小リスト項目を取得する（ステップ５０７）。例えば、図６に示すように、ユーザがＮｏ２を選択中に、縮尺を１／１から１／１００に変更した場合、取得したリストの項目は、Ｎｏ２、１０２、２０２、３０２、４０２…となる。
【００３８】
すなわち、制御部１０１は、Ｎｏ２〜Ｎｏ１０１までのリスト項目のうち、選択されているＮｏ２以外のＮｏ３〜Ｎｏ１０１までのリスト項目を縮尺の変更度合い（縮小度合い）に合わせて間引き（つまり、１００個ごとに間引き）、さらにその次のＮｏ１０２のリスト項目を表示させ、Ｎｏ１０２〜Ｎｏ２０１までのリスト項目のうち、表示されているＮｏ１０２以外のＮｏ１０３〜Ｎｏ２０１までのリスト項目を縮尺の変更度合い（縮小度合い）に合わせて間引く。以降、同様にしてリスト項目の数だけ繰り返し、縮小リストを表示させる。なお、制御部１０１は、その後拡大指示信号を受けた場合に備え、間引いたリスト項目を、内部記憶部１０４１に記憶しておく。
【００３９】
制御部１０１は、変更後の縮尺で間引いたリストを取得した後、取得後のリスト項目を表示部４０１に表示するために、表示装置１０２に対して表示指示信号を送信する。図６では、ユーザがＮｏ２の音楽データを選択中に、縮尺が１／１００に変化した場合のリスト表示画面の例を示しており、縮小後のリストはスクロールバー４０６を操作することにより、スクロール可能とする。
【００４０】
ユーザは図６のリスト表示画面から、所望の音楽データの曲名に近い、Ｎｏ３０２の項目を選択して拡大指示ボタン４０５を押下するか、リスト表示画面部４０１のＮｏ３０２を中心にして２本の指で広げるようになぞる。拡大指示ボタン４０５を押下するか、リスト表示画面部４０１を２本の指で広げるようになぞられると、入力装置１０３がその操作を受け付け、制御部１０１に拡大指示信号が送信される。制御部１０１は、その信号を受信し（ステップ５０１）、受信した信号が縮小指示信号か、拡大指示信号かを判断する（ステップ５０２）。
【００４１】
制御部１０１が拡大指示信号を受信したと判断すると、制御部１０１は現在のリストの縮尺が縮尺リスト図２の最大値であるかどうかを判定し、その確認をする（ステップ５０４）。そして、制御部１０１は、現在の縮尺が最小値、縮尺リスト図２の１／１であると判定した場合（ステップ５０４；Ｙｅｓ）の場合は、これ以上拡大はできないため、ステップ５０９に進む。
【００４２】
一方、制御部１０１は、現在の縮尺が最大値、縮尺リスト図２の１／１でないと判定した場合（ステップ５０４；Ｎｏ）、現在の縮尺を拡大指示信号によって指示された縮尺に変更する（ステップ５０５）。
【００４３】
制御部１０１は、リスト項目を間引いた際に内部記憶部１０４１に記憶したリスト項目を参照し、現在の縮尺が変更された時に、音楽データのリスト図４から、リスト項目が選択されている場合は、選択されている項目を先頭に、変更後の縮尺に従って、任意のリスト項目間の間隔で、任意の数のリスト項目を復帰させて所定の拡大リスト項目を取得し、リスト項目が選択されていない場合は、表示されているリスト項目の先頭項目を先頭にして、変更後の縮尺に従って、任意のリスト項目間の間隔で、任意の数のリスト項目を復帰させて所定の拡大リスト項目を取得する（ステップ５０７）。例えば、図７に示すように、ユーザがＮｏ２を選択中に、縮尺を１／１００から１／１０に変更した場合、取得したリストの項目は、Ｎｏ２、２２、３２、４２、５２…となる。
【００４４】
すなわち、制御部１０１は、Ｎｏ２〜Ｎｏ４０２までのリスト項目のうち、選択されているＮｏ２以外のＮｏ３〜Ｎｏ２１までのリスト項目を縮尺の変更度合い（拡大度合い）に合わせて復帰させ（つまり、１０個ごとに復帰させ）、さらにその次のＮｏ２２のリスト項目を表示させ、Ｎｏ２２〜Ｎｏ３１までのリスト項目のうち、表示されているＮｏ２２以外のＮｏ２３〜Ｎｏ３１までのリスト項目を縮尺の変更度合い（拡大度合い）に合わせて１０個ごとに復帰させる。以降、同様にしてリスト項目の数だけ繰り返し、拡大リストを表示させる。なお、ユーザがＮｏ３０２を選択して、縮尺を１／１に変更した場合には、同様の理屈により、リスト表示画面部４０１に表示する項目は、Ｎｏ３０２、３０３、３０４、３０５、３０６…と表示される。
【００４５】
そして、制御部１０１は、所望の音楽データ（曲）が特定されたか否かを判定し（ステップ５０９）、曲が特定されていないと判定した場合（ステップ５０９；Ｎｏ）、ステップ５０２に戻ってステップ５０２〜５０８の処理を繰り返し、所望の音楽データが特定されたと判定すると（ステップ５０９；Ｙｅｓ）、リスト表示画面部４０１に所望の音楽データＮｏ３０３が表示させる。そして、ユーザは、Ｎｏ３０３の音楽データを選択して、検索を終了し、選択した音楽データの曲を再生する。
【００４６】
以上説明したように、本実施の形態では、リストの項目を検索する際に、指示した縮尺に応じて、リスト項目間の間隔を変更し、任意の数のリスト項目を間引いて表示させる事が可能なため、リストの後部の音楽データを簡易な操作で選択ができる。また、間引いて表示させる事により、リスト項目を上部から下部まで表示する事が可能なため、リスト中部の音楽データを検索する際にも簡易な操作での選択が可能である。このように、上述した処理を行うことにより、所定の順番で配列された膨大な数の音楽データを、簡易な操作で間引いてリスト表示することができ、所望の音楽データの位置を容易に推測、指定可能となり、検索時間の短縮が可能となる。
【００４７】
なお、上記実施の形態では、本発明の項目検索方法をカーオーディオの音楽データの検索に適用した場合について説明したが、本発明はこれに限定されるものではなく、他の多くの項目の検索に適用できることは云うまでもない。
【００４８】
また、上述した処理を行うプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供することとしてもよい。また、そのプログラムを、インターネット等のネットワークに接続されたコンピュータ上に格納し、ネットワーク経由でダウンロードさせることにより提供したり、インターネット等のネットワーク経由で提供または配布するように構成しても良い。さらには、そのプログラムを、ＲＯＭ等に予め組み込んで提供するように構成してもよい。
【産業上の利用可能性】
【００４９】
本発明の項目検索方法によれば、多数の項目が含まれるリストから所望の項目を短時間に検索できるため、音楽データが多数記録された記録装置から所望の曲を再生するカーオーディオ装置、さらにはＰＣを操作して蔵書データの中から所望の書籍を検索する場合や、ナビゲーションシステムにおいて所望の目的地を検索する場合等、情報機器に記録されている様々な情報を検索して画面等に表示させる場合に有用である。
【符号の説明】
【００５０】
１０１    制御部
１０２    表示装置
１０３    入力装置
１０４１  内部記憶部
１０４２  外部記憶部
１０８  記録媒体
２０１  縮尺リスト
３０１  Ｎｏ
３０２  曲名
３０３  アーティスト
３０４  アルバム
３０５  ジャンル
４０１  リスト表示画面部
４０２  ページ数
４０３  リストの縮尺
４０４  縮小指示ボタン
４０５  拡大指示ボタン
４０６  スクロールバー
４０７  戻りボタン
【図１】
2014056329.tif 000003
【図２】
2014056329.tif 000004
【図３】
2014056329.tif 000005
【図４】
2014056329.tif 000006
【図５】
2014056329.tif 000007
【図６】
2014056329.tif 000008
【図７】
2014056329.tif 000009